(57)【要約】陶器または磁器製の、室内用品として用いられる浮きで、外部液体（水）の温度により浮沈することを特徴とし、温度を知る目安となるとともに、インテリアにもなる。【課題】陶器または磁器製の浮きは水中でのインテリア機能しか持たなかったが、液体（水）の温度によって浮沈し、温度を知る目安となる浮きを提供する。【解決手段】中心部に空洞を持つ、水とほぼ同じ比重になる様に調節した浮きは、液体（水）の温度が高くなると沈み、温度が低くなると浮き上がる。液体（水）面の位置は温度により異なる高さの目盛部分と合うので、温度を知る目安となる。【選択図】図６
2005043334.tif 000002
【特許請求の範囲】
【請求項１】
中心部に密閉された空洞を持ち、水とほぼ同じ比重になる様に調整された、陶器または磁器製の浮きで、外部液体（水）の温度により浮沈することを特徴とするもの。
【請求項２】
陶器または磁気製の球の上部に浮力のあるものを付け、水とほぼ同じ比重になる様に調節された浮きで、外部液体（水）の温度により浮沈することを特徴とするもの。
【請求項３】
請求項１記載の浮きで、上部に中空の突起物を持ち、外部液体（水）の温度により液体（水）面が異なる目盛に符合することを特徴とするもの。
【請求項４】
請求項３記載の浮きで、上部にある中空の突起物の内部は球内の空間とつながり、中空の突起物上部の穴から空気が抜けることを特徴とするもの。
【請求項５】
請求項１記載の浮きで、中心部の空洞を楔によってふさぐ形状とし、中心部の空洞を９０度から１００度程度の高温状態で楔の栓をし、密閉することにより、常温においては中心部の空洞は低圧に保つことを特徴とするもの。
【請求項６】
請求項５記載の浮きで、上部に中空の突起物を持ち、外部液体（水）の温度により液体（水）面が異なる目盛に符合することを恃徴とするもの。
【発明の詳細な説明】
【発明の詳細な説明】
【技術分野】
【０００１】  本発明は、陶器または磁器製の、室内用品として用いられる浮きに関するものである。
【背景技術】
【０００２】  従来の室内水槽用浮きは、様々な形状で、液体（水）に浮かべておくものや沈ませておくものがあり、それらを水槽等に入れてインテリアとして使用していた。
【発明が解決しようとする課題】
【０００３】  浮きが外部液体（水）の温度によって浮沈する構造とし、液体（水）の温度を示す目盛を設け、インテリアとするだけではなく、温度を知る目安とすることができるものとする。
【課題を解決するための手段】
【０００４】  請求項１から６記載の浮きによれば、陶器または磁器の膨張率は小さく（水の膨張率の約２０分の１）、液体（水）温の変化による体積・比重の変化は液体（水）のそれに比べ無視できる。従って、液体（水）の温度の変化に応じて陶器または磁器製の浮きは確実に液体（水）中を上下に浮沈する。つまり、液体（水）の温度が上がると浮きは沈み、温度が下がると浮く。
【０００５】  請求項１、２、５記載の浮きによれば、液体（水）の温度がある温度より高くなると浮きは沈み、低くなると浮きは浮かびあがり、浮沈によってある温度に達しているかを知る目安となるとともに、インテリアとなる。
【０００６】  請求項３、４、６記載の浮きは、浮き上部に空洞の突起物を持ち、液体（水）の温度によって浮きが浮沈し、突起物比重の温度目盛の位置により温度を知る目安になるとともに、液体（水）内のインテリアとなる。
【発明を実施するための最良の形態】
【０００７】  請求項１記載の浮きは、球の中心部を中空とした、液体（水）とほぼ同じ比重になる様に調整したものである。【０００８】  請求項２記載の浮きは、球の上部に浮力を持つもの（例えば発泡スチロール）を付け、液体（水）とほぼ同じ比重になる様に調整したものである。【０００９】  請求項３記載の浮きは請求項１記載の浮きの上部に中空の突起物を持ち、そこに温度を示す目盛を調整して設ける。液体（水）面の位置は温度により異なる高さの目盛部分と合うので、温度を知る目安となる。【００１０】  請求項４記載の浮きは上部に中空の突起物を持ち、突起物内部は浮きの内部とつながっている。突起物上部に穴を設け、空気が出入りする。また、その時の温度目盛の数値が液体（水）面にくるように調節して温度目盛を設ける。【００１１】  請求項５記載の浮きは、中心部を空洞とした球に楔用の穴を設けたもので、高温にした気圧の低い状態で楔をはめ、中心部を密閉する。【００１２】  請求項６記載の浮きは、請求項５記載の浮き上部に中空の突起物を設けたもので、浮かび上がる温度に合わせて温度目盛を設ける。その時の温度目盛の数値が液体（水）面から出てくるように調節する。
【実施例】
【００１３】  本発明の実施例について、図面を参照して説明する。
（実施例１）【００１４】図１において、密閉状態とした陶器または磁器製浮き本体１の中心部は空洞で空気があり、調節して液体（水）とほぼ同じ比重になる様にしてあるため液体（水）面付近でちょうど安定する。陶器または磁器製浮き本体１は高温で内部空気が膨張しても壊れない程度に強く製作する必要がある。液体（水）の温度が上がると、液体（水）の比重が小さくなり、陶器または磁器製浮き本体１は液体（水）中に沈む。また、液体（水）の温度が下がると、液体（水）の比重が大きくなり、陶器または磁器製浮き本体１は浮き上がる。【００１５】  液体（水）の温度がある温度より上がると浮きは沈み、ある温度より下がると浮くため、液体（水）の温度がある温度に達しているかを知る目安となる。
（実施例２）【００１６】なお、以下の実施例については、浮きの基本構造を実施例１と同じくしており、基本構造部分については実施例１の説明をもってこれを省略し、異なる構成についてのみ新しい符号を付して説明する。図２において、材質は浮きと同じものだが中に空洞を持たない、陶器または磁器製球の上部に浮力のある物体（例として発泡スチロール）３を調節して付け、全体が水とほぼ同じ比重になる様に調節する。陶器または磁器製球と浮力のある物体（例として発泡スチロール）３は液体（水）の温度が上がると液体（水）の比重が小さくなり液体（水）中に沈む。また、液体（水）の温度が下がると液体（水）の比重が大きくなり、浮き上がる。
（実施例３）【００１７】図３において、突起物の比重は水より軽く設計する。液体（水）の温度が上がると膨張率の低い陶器または磁器製浮き本体１は相対的に水より重くなり、沈み始める。これに伴い、上部突起物が液体（水）につかり浮力が働くため、バランスする位置で沈下は止まる。この位置は液体（水）の温度によって異なるため、上部突起物に目盛を設けておくと、液体（水）のおよその温度を知ることができる。また、液体（水）の温度が下がると陶器または磁器製浮き本体１は浮き上がる。
（実施例４）【００１８】図４において浮きの浮沈は実施例３と同様であり、突起物の上部に穴６を設けことにより、高温の際に中心部の空気が膨張し浮きが壊れやすくなるという問題点を解決する。
（実施例５）【００１９】図５において浮きの浮沈は実施例１と同様であり、陶器または磁器製浮き本体１に楔２をはめ込む形状とする。高温状態で気圧を低くして、楔２を陶器または磁器製浮き本体１にはめ込み密閉する。これにより、高温の際に中心部の空気が膨張し浮きが壊れやすいという問題点は解決する。また、例２、例３に示す突起物も必要ないのでシンプルな作りを実現できる。液体（水）の温度がある温度より上がると陶器または磁器製浮き本体１は沈み、ある温度より下がると浮く。
（実施例６）【００２０】図６において浮きの浮沈は実施例３、４と同様であり、実施例５にあるように、高温の際に中心部の空気が膨張し浮きが壊れやすくなるという問題点を解決するために楔をはめ込んだものである。
【発明の効果】
【００２１】  本発明は、以上説明したような形態で実施され、以下に記載されるような効果を奏する。
【００２２】  請求項１から６記載の浮きによると、液体（水）とほぼ同じ比重になる様に調整した浮きは外部液体（水）の温度によって浮沈する。
【００２３】  請求項３、４、６記載の浮きによると、浮き上部に中空の突起物を設けると温度によって浮沈する。突起物の温度目盛が液体（水）面に符号することにより、液体（水）の温度を知る目安となる。
【００２４】  請求項３記載の浮きによると、中空の突起物の上部に穴を設けると、温度によって浮きが浮沈する。
【００２５】  請求項５記載の浮きによると、高温で楔をはめ込み密閉することで、外部液体（水）の温度が高温になった際にも中心部の空気が膨張して浮きが壊れるという問題点が解決される。
【００２６】  浮き本体の概観は形や色を工夫することができる。浮き沈みの温度範囲が高めのものをポットに入れて使用する、または熱帯魚の水の温度に合わせて浮き沈みを調節したものを水槽に入れて使用する等、用途に合わせて使用することができる。浮きをポットに入れた場合、お茶に適した温度を５℃単位等で目盛によって示し、温度を分かりやすくするのにも十分役立つ。
【図面の簡単な説明】
【００２７】
【図１】  本発明の浮き実施例１を示す断面図である。
【図２】  本発明の浮き実施例２を示す断面図である。
【図３】  本発明の浮き実施例３を示す断面図である。
【図４】  本発明の浮き実施例４を示す断面図である。
【図５】  本発明の浮き実施例５を示す断面図である。
【図６】  本発明の浮き実施例６を示す断面図である。
【符号の説明】
１        陶器または磁器製浮き本体
２        楔
３        浮力のある物体（例として発泡スチロール）
４        空気
５        液体（水）
６        穴
７        温度目盛
８        陶器または磁器製球
【図１】
2005043334.tif 000003
【図２】
2005043334.tif 000004
【図３】
2005043334.tif 000005
【図４】
2005043334.tif 000006
【図５】
2005043334.tif 000007
【図６】
2005043334.tif 000008